(57)【特許請求の範囲】
【請求項１】
支持部材と、
前記支持部材を覆うケースと、
前記支持部材に支持されケースに覆われて、挿入されるタングをロック又は解除するロック部と、
前記ケースと前記ロック部との間に形成される前記タングの挿入口の両端を照明する照明部と、
を備え、
前記照明部は、
光を発光する１つの発光部と、
前記発光部が発光した光を第１の光と第２の光に分配する配光部と、
前記第１の光を拡散する第１拡散部と、
前記第２の光を拡散する第２拡散部と、
前記発光部から前記第１拡散部及び前記第２拡散部まで内部反射により光を導く導光部材と、
を有し、
前記配光部は、前記第２の光を反射する配光反射面を有する
ことを特徴とするバックル。
【請求項２】
前記導光部材は、前記ロック部に掛止される掛止部を有する
ことを特徴とする請求項１に記載のバックル。
【請求項３】
前記照明部は、前記発光部が取り付けられる基盤ユニットを有し、
前記基盤ユニットは、前記タングの挿入口に対して平行に前記支持部材に取り付けられる
ことを特徴とする請求項１又は２に記載のバックル。
【請求項４】
前記照明部は、前記タングの着脱に対応して移動する照明スイッチを有し、
前記タングが挿入されていない状態で、前記照明スイッチは前記発光部をＯＮ状態とし、
前記タングが挿入された状態で、前記照明スイッチは前記発光部をＯＦＦ状態とする
ことを特徴とする請求項１乃至請求項３のいずれか１つに記載のバックル。
【請求項５】
シートベルトを巻き取るシートベルトリトラクタと、
前記シートベルトリトラクタから引き出されたシートベルトに摺動自在に支持されたタングと、
前記タングが係脱可能に係合される請求項１乃至４のいずれか１つに記載のバックルと、
を少なくとも備える
ことを特徴とするシートベルト装置。
【発明の詳細な説明】
【技術分野】
【０００１】
本発明は、シートベルト装置等に用いられているバックルの技術分野、およびこのバックルを備えたシートベルト装置の技術分野に属するものである。
【背景技術】
【０００２】
自動車を始めとする各種交通機関の座席には、衝突等の通常走行時より大きな減速度が車両に加えられた緊急時に乗員をシートベルトで拘束して慣性移動を抑制するためにシートベルト装置が付設されている。このようなシートベルト装置は、乗員によるシートベルトの装着操作を簡易にするために、一般的に、シートベルトに支持されたタングと、車体側に固定されるとともにこのタングが挿入係止されるバックルとを備えている。
【０００３】
従来のシートベルト装置に用いられているバックルとして、タングが挿入されたときこのタングの係止孔に進入してタングに係止するラッチ部材と、ラッチ部材によるタングへの係止時にスプリングの付勢力により移動してラッチ部材をタングの係止位置にロックするラッチ部材ロック部材と、ラッチ部材ロック部材によるラッチ部材のロックを解除するとともにラッチ部材をタングの係止孔から脱出させてラッチ部材とタングとの係止を解除する解除操作部材と、解除操作部材がラッチ部材とタングとの係止を解除したとき、タングをバックルから離脱する方向に押圧するエジェクタと、を少なくとも有するバックルが多々知られている（例えば、特許文献１参照）。
【０００４】
この種のバックルを備えたシートベルト装置においては、乗員へのシートベルトの装着の際にタングがバックルに挿入されてラッチ部材がタングに係止することで、タングはバックルに係止される。これにより、シートベルトは乗員に装着されて、前述の緊急時に乗員はシートベルトに拘束されるので、その慣性移動が抑制される。また、乗員からのシートベルトの装着解除の際には、解除操作部材が乗員により押圧されることで、ラッチ部材のタングへの係止が解除される。
【０００５】
このようなバックルにおいて、乗員が夜間等に、容易にタング挿入口を視認できるように、バックル内にＬＥＤ等の光源を備えた所謂照明付バックルが知られている。照明付バックルは、バックル内にプリント基板と光源としてのＬＥＤがタング挿入口の両側部分に対応して固定されている。
【０００６】
このような従来の照明付バックル装置では、例えば乗員がシートに着座すると、このバックル装置のＬＥＤが作動されて発光し、ライトガイドを介してバックルボディの挿入口が照らされ、乗員は容易にこれを視認できる。
【先行技術文献】
【特許文献】
【０００７】
【特許文献１】実開平５−１５８１３号公報
【発明の概要】
【発明が解決しようとする課題】
【０００８】
しかしながら、従来のバックル装置では、挿入口の両側を照明するためのＬＥＤがそれぞれ独立して存在するため、比較的高価であるＬＥＤを複数使用することによって高価になり、且つ、部品点数が多く組付けにも手間がかかっていた。
【０００９】
本発明は、このような事情に鑑みてなされたものであって、その目的は、比較的高価で
あるＬＥＤの使用点数を減少させより安価に製造することが可能であり、且つ、部品点数を減少させ、容易且つ的確に組み立て製造することが可能なバックルおよびこれを備えるシートベルト装置を提供することである。
【課題を解決するための手段】
【００１０】
前述の課題を解決するために、本発明にかかるバックルは、
支持部材と、
前記支持部材を覆うケースと、
前記支持部材に支持されケースに覆われて、挿入されるタングをロック又は解除するロック部と、
前記ケースと前記ロック部との間に形成される前記タングの挿入口の両端を照明する照明部と、
を備え、
前記照明部は、
光を発光する１つの発光部と、
前記発光部が発光した光を第１の光と第２の光に分配する配光部と、
前記第１の光を拡散する第１拡散部と、
前記第２の光を拡散する第２拡散部と、
前記発光部から前記第１拡散部及び前記第２拡散部まで内部反射により光を導く導光部材と、
を有し、
前記配光部は、前記第２の光を反射する配光反射面を有する
ことを特徴とする。
【００１２】
また、本発明にかかるバックルでは、
前記導光部材は、前記ロック部に掛止される掛止部を有する
ことを特徴とする。
【００１４】
また、本発明にかかるバックルでは、
前記照明部は、前記発光部が取り付けられる基盤ユニットを有し、
前記基盤ユニットは、前記タングの挿入口に対して平行に前記支持部材に取り付けられる
ことを特徴とする。
【００１５】
また、本発明にかかるバックルでは、
前記照明部は、前記タングの着脱に対応して移動する照明スイッチを有し、
前記タングが挿入されていない状態で、前記照明スイッチは前記発光部をＯＮ状態とし、
前記タングが挿入された状態で、前記照明スイッチは前記発光部をＯＦＦ状態とする
ことを特徴とする。
【００１６】
また、本発明にかかるシートベルト装置は、
シートベルトを巻き取るシートベルトリトラクタと、
前記シートベルトリトラクタから引き出されたシートベルトに摺動自在に支持されたタ
ングと、
前記タングが係脱可能に係合される前記バックルと、
を少なくとも備える
ことを特徴とする。
【発明の効果】
【００１７】
このような構成をした本発明にかかるバックルによれば、
支持部材と、
前記支持部材を覆うケースと、
前記支持部材に支持されケースに覆われて、挿入されるタングをロック又は解除するロック部と、
前記ケースと前記ロック部との間に形成される前記タングの挿入口の両端を照明する照明部と、
を備え、
前記照明部は、
光を発光する１つの発光部と、
前記発光部が発光した光を第１の光と第２の光に分配する配光部と、
前記第１の光を拡散する第１拡散部と、
前記第２の光を拡散する第２拡散部と、
前記発光部から前記第１拡散部及び前記第２拡散部まで内部反射により光を導く導光部材と、
を有し、
前記配光部は、前記第２の光を反射する配光反射面を有するので、
比較的高価であるＬＥＤの使用点数を減少させより安価に製造することが可能であり、且つ、部品点数を減少させ、容易且つ的確に組み立て製造することが可能となる。また、簡単な構造で光を分配させることができ、効率よく光を導光させることが可能となる。
【００１９】
また、本発明にかかるバックルによれば、
前記導光部材は、前記ロック部に掛止される掛止部を有するので、
簡単に組み立てることが可能となる。
【００２１】
また、本発明にかかるバックルは、
前記照明部は、前記発光部が取り付けられる基盤ユニットを有し、
前記基盤ユニットは、前記タングの挿入口に対して平行に前記支持部材に取り付けられるので、
バックルを小型薄型に構成することが可能となる。
【００２２】
また、本発明にかかるバックルは、
前記照明部は、前記タングの着脱に対応して移動する照明スイッチを有し、
前記タングが挿入されていない状態で、前記照明スイッチは前記発光部をＯＮ状態とし、
前記タングが挿入された状態で、前記照明スイッチは前記発光部をＯＦＦ状態とするので、
乗員が夜間等に、容易にタング挿入口を視認することが可能となる。
【００２３】
また、本発明にかかるシートベルト装置は、
シートベルトを巻き取るシートベルトリトラクタと、
前記シートベルトリトラクタから引き出されたシートベルトに摺動自在に支持されたタングと、
前記タングが係脱可能に係合される前記バックルと、
を少なくとも備えるので、
比較的高価であるＬＥＤの使用点数を減少させより安価にバックルを製造することが可能であり、且つ、バックルの部品点数を減少させ、容易且つ的確に組み立て製造することができ、結果的にシートベルト装置を容易且つ的確に組み立て製造することが可能となる。
【図面の簡単な説明】
【００２４】
【図１】本発明に係るバックルの斜視分解図を示す。
【図２】本発明に係るバックルを示す。
【図３】本発明に係るバックルの支持部材と照明部を示す。
【図４】本発明に係るバックルの照明部の導光部材の斜視図を示す。
【図５】本発明に係るバックルの照明部の導光部材とロック部の導光部材支持部の斜視図を示す。
【図６】本発明に係るバックルの照明部の導光部材とロック部の導光部材支持部を示す。
【図７】本発明に係るバックルのリフレクタを示す。
【図８】本発明に係るバックルの照明部のスイッチがＯＮの状態を示す。
【図９】本発明に係るバックルの照明部のスイッチがＯＦＦの状態を示す。
【図１０】本発明にかかるバックルの一例を備えるシートベルト装置を模式的に示す斜視図である。
【発明を実施するための形態】
【００２５】
以下、図面を用いて本発明を実施するための形態について説明する。
【００２６】
図１は、本発明に係るバックル１０の斜視分解図を示す。図２は、本発明に係るバックル１０を示す。図２（ａ）はバックル１０の正面図、図２（ｂ）はバックル１０の一部の断面図を示す。
【００２７】
バックル１０は、支持部材１１と、支持部材１１を覆うケース１２と、支持部材１１に支持されケース１２に覆われて後述するタングをロック又は解除するロック部１３と、ケース１２とロック部１３の間に形成されるタングの挿入口１４の両端を照明する照明部２０と、を備える。
【００２８】
支持部材１１は、ロック部１３及び照明部２０を支持し、ケース１２に覆われる。また、ケース１２とロック部１３との間には、タングの挿入口１４が形成される。
【００２９】
ケース１２は、支持部材１１、ロック部１３、及び照明部２０を覆う。ケース１２は、開口１２ａを有し、ロック部１３の解除ボタン１３ａが開口１２ａから露出する。
【００３０】
ロック部１３は、ケース１２の開口１２ａと解除ボタン１３ａとの隙間で挿入口１４を形成する。挿入口１４は、タングを挿入する部分である。ロック部１３には図示を省略したロックプレートが配置されており、挿入口１４から挿入されたタングに係合してその抜き出しを阻止するようになっている。
【００３１】
解除ボタン１３ａは常にケース１２から突出する方向に付勢されており、この解除ボタ
ン１３ａを押し込むことによってロックプレートによるタングの係止が解除される。また、ロック部１３には、タングの抜き差しに対応してオンオフする照明スイッチ２１が設けられている。照明スイッチ２１は照明部２０に含まれる。
【００３２】
図３は、本発明に係るバックル１０の支持部材１１と照明部２０を示す。図４は、本発明に係るバックル１０の照明部２０の導光部材２３の斜視図を示す。図５は、本発明に係るバックル１０の照明部２０の導光部材２３とロック部１３の導光部材支持部１３ｂの斜視図を示す。図６は、本発明に係るバックル１０の照明部２０の導光部材２３とロック部１３の導光部材支持部１３ｂを示す。図６（ａ）は本発明に係るバックル１０の照明部２０の導光部材２３とロック部１３の導光部材支持部１３ｂの正面図、図６（ｂ）は本発明に係るバックル１０の照明部２０の導光部材２３とロック部１３の導光部材支持部１３ｂの側面図を示す。
【００３３】
支持部材１１には、照明部２０の基盤ユニット２２が支持される。基盤ユニット２２には、照明スイッチ２１のオンオフに対応して点灯又は消灯するＬＥＤ２２ａが取り付けられる。ＬＥＤ２２ａは、基盤ユニット２２に印刷等によって形成された図示しない配線部に接続され、配線部は、電源等に接続したハーネス２２ｂに接続される。
【００３４】
導光部材２３は、ＬＥＤ２２ａに対向する入射部２３ａと、入射部２３ａから入射した上方からの光を前方へ反射させる第１反射面２３ｂと、第１反射面２３ｂで反射した光の少なくとも一部を反射させる配光部の一部を構成する配光反射面２３ｃと、第１反射面２３ｂで反射した光のうち配光反射面２３ｃ以外に導かれた第１の光を反射させる第２反射面２３ｄと、第２反射面２３ｄで反射した第１の光を射出する第１射出部２３ｅと、配光反射面２３ｃで反射した第２の光を導光する連結部２３ｆと、連結部２３ｆを通過した第２の光を反射させる第３反射面２３ｇと、第３反射面２３ｇで反射した第２の光を反射させる第４反射面２３ｈと、第４反射面２３ｈで反射した第２の光を射出する第２射出部２３ｉと、ロック部１３の導光部材支持部１３ｂに掛止される掛止部２３ｊと、を有する。
【００３５】
本実施形態では、基盤ユニット２２は、支持部材１１のうち第１射出部２３ｅに対応する一方側で、タング６の挿入口１４に対して平行に設けられる。また、導光部材２３の入射部２３ａ及び配光反射面２３ｃも支持部材１１の一方側に設けられる。これに対して、第２射出部２３ｉは、支持部材１１の他方側に設けられる。したがって、連結部２３ｆは、支持部材１１の一方側から他方側へ横切るように配置される。
【００３６】
入射部２３ａから入射した光は、下方の第１反射面２３ｂで前方に反射する。第１反射面２３ｂで反射した光のうち少なくとも一部の第１の光は、配光部の一部を通過し、第２反射面２３ｄで上方に反射し、第１射出部２３ｅから射出する。第１反射面２３ｂで反射した光のうち残りの第２の光は、配光部の一部を構成する配光反射面２３ｃで反射し、連結部２３ｆを通過して、第３反射面２３ｇで前方に反射し、第４反射面２３ｈで上方に反射し、第２射出部２３ｉから射出する。
【００３７】
このように、照明部２０は、ＬＥＤ２２ａが取り付けられる基盤ユニット２１を有し、基盤ユニット２１は、タング６の挿入口１４に対して平行に支持部材１１に取り付けられるので、バックル１０を小型薄型に構成することが可能となる。
【００３８】
また、照明部２０は、ＬＥＤ２２ａから第１リフレクタ２４及び第２リフレクタ２５まで内部反射により光を導く導光部材２３を有するので、効率よく光を導光させることが可能となる。
【００３９】
また、導光部材２３がロック部１３に掛止される掛止部２３ｊを有するので、バックル
１０を簡単に組み立てることが可能となる。
【００４０】
また、配光部は、第２の光を反射する配光反射面２３ｃを有するので、簡単な構造で光を分配させることが可能となる。
【００４１】
なお、本実施形態では、配光部として、入射した光の一部をそのまま通過させ、残りの一部を配光反射面２３ｃで反射させる構造を用いたが、ハーフミラー等によって分配させてもよい。
【００４２】
図７は、本発明に係るバックル１０のリフレクタ２４、２５を示す。
【００４３】
第１射出部２３ｅから射出された第１の光は、第１リフレクタ２４で反射拡散され、第１照射面２４ａから照射する。第２射出部２３ｉから射出された第２の光は、第２リフレクタ２５で反射拡散され、第２照射面２５ａから照射する。第１リフレクタ２４と第２リフレクタ２５には、十分に拡散できるように、それぞれ凹状の第１拡散面２４ｂと第２拡散面２５ｂが形成される。第１リフレクタ２４と第２リフレクタ２５は、挿入口１４の幅方向両端部に対応して配置される。なお、第１リフレクタ２４と第２リフレクタ２５は、それぞれ第１拡散部と第２拡散部を構成する。
【００４４】
図８は、本発明に係るバックル１０の照明部２０のスイッチ２１がＯＮの状態を示す。図９は、本発明に係るバックル１０の照明部２０のスイッチ２１がＯＦＦの状態を示す。
【００４５】
支持部材１１には照明スイッチ２１が移動可能に配置されている。照明スイッチ２１は、タングが挿入された際に、これに押圧されて支持部材１１の長手方向に沿って移動するようになっている。そして、照明スイッチ２１が移動するとＯＮ／ＯＦＦが切り替わり、ＬＥＤ２２ａの点灯と消灯が切り替わる構造となっている。
【００４６】
例えば、図８（ａ）に示すように、タングが挿入されていない状態では、図８（ｂ）に示すように、照明スイッチ２１はＯＮ状態であって、ＬＥＤ２２ａは点灯している。
【００４７】
そして、図９（ａ）に示すように、タングが挿入された状態では、図９（ｂ）に示すように、照明スイッチ２１はＯＦＦ状態であって、ＬＥＤ２２ａは消灯している。
【００４８】
このように、照明部２０は、タング６の着脱に対応して移動する照明スイッチ２１を有し、タング６が挿入されていない状態で、照明スイッチ２１はＬＥＤ２２ａをＯＮ状態とし、タング６が挿入された状態で、照明スイッチ２１はＬＥＤ２２ａをＯＦＦ状態とするので、乗員が夜間等に、容易にタング挿入口１４を視認することが可能となる。
【００４９】
次に、本発明に係るバックル１０を車両のシートベルト装置に適用した例を説明する。
【００５０】
図１０は、本発明にかかるバックル１０の一例を備えるシートベルト装置を模式的に示す図である。
【００５１】
図１０に示すように、この例のシートベルト装置１は、基本的には従来公知の三点式シートベルト装置と同じである。図中、１はシートベルト装置、２は車両シート、３は車両シート２の近傍に配設されたシートベルトリトラクタ、４はシートベルトリトラクタ４に引き出し可能に巻き取られかつ先端のベルトアンカー４ａが車体の床あるいは車両シート２に固定されるシートベルト、５はシートベルトリトラクタ３から引き出されたシートベルト４を乗員のショルダーの方へガイドするガイドアンカー、６はこのガイドアンカー５からガイドされてきたシートベルト４に摺動自在に支持されたタング、７は車体の床ある
いは車両シートに固定されかつタング６が係脱可能に挿入係合されるバックル１０である。このシートベルト装置１におけるシートベルト４の装着操作および装着解除操作も、従来公知のシートベルト装置と同じである。
【００５２】
上記構成のバックル１０では、比較的高価であるＬＥＤの使用点数を減少させより安価に製造することが可能であり、且つ、部品点数を減少させ、容易且つ的確に組み立て製造することができ、結果的にシートベルト装置を容易且つ的確に組み立て製造することが可能となる。また、例えば車両のイグニションスイッチがＯＮとなった状態や乗員がシートに着座した状態に連動して、このバックル１０の図７（ｂ）に示したＬＥＤ２２ａが作動されて発光するように設定する。ＬＥＤ２２ａが発光すると、導光部材２３及びリフレクタ２４，２５を介してケース１１の挿入口１４が照らされる。したがって、乗員は容易に挿入口１４を視認でき、図９に示したタング６を挿入口１４に容易に挿入することが可能となる。そして、タング６がバックル１０の挿入口１４から内部へ挿入されると、照明スイッチ２１が移動してＯＦＦとなり、ＬＥＤ２２ａが消灯する。
【００５３】
以上、本実施形態のバックル１０によれば、支持部材１１と、支持部材１１を覆うケース１２と、支持部材１１に支持されケース１２に覆われて、挿入されるタング６をロック又は解除するロック部１３と、ケース１２とロック部１３との間に形成されるタング６の挿入口１４の両端を照明する照明部２０と、を備え、照明部２０は、光を発光する１つの発光部を構成するＬＥＤ２２ａと、ＬＥＤ２２ａが発光した光を第１の光と第２の光に分配する配光部を構成する配光反射面２３ｃと、第１の光を拡散する第１拡散部を構成する第１リフレクタ２４と、第２の光を拡散する第２拡散部を構成する第２リフレクタ２５と、を有するので、比較的高価であるＬＥＤの使用点数を減少させより安価に製造することが可能であり、且つ、部品点数を減少させ、容易且つ的確に組み立て製造することが可能となる。
【００５４】
また、本実施形態のバックル１０によれば、照明部２０は、ＬＥＤ２２ａから第１リフレクタ２４及び第２リフレクタ２５まで内部反射により光を導く導光部材２３を有するので、効率よく光を導光させることが可能となる。
【００５５】
また、本実施形態のバックル１０によれば、導光部材２３は、ロック部１３に掛止される掛止部２３ｊを有するので、簡単に組み立てることが可能となる。
【００５６】
また、本実施形態のバックル１０によれば、配光部は、第２の光を反射する配光反射面２３ｃを有するので、簡単な構造で光を分配させることが可能となる。
【００５７】
また、本実施形態のバックル１０によれば、照明部２０は、ＬＥＤ２２ａが取り付けられる基盤ユニット２１を有し、基盤ユニット２１は、タング６の挿入口１４に対して平行に支持部材１１に取り付けられるので、バックル１０を小型薄型に構成することが可能となる。
【００５８】
また、本実施形態のバックル１０によれば、照明部２０は、タング６の着脱に対応して移動する照明スイッチ２１を有し、タング６が挿入されていない状態で、照明スイッチ２１はＬＥＤ２２ａをＯＮ状態とし、タング６が挿入された状態で、照明スイッチ２１はＬＥＤ２２ａをＯＦＦ状態とするので、乗員が夜間等に、容易にタング挿入口１４を視認することが可能となる。
【００５９】
さらに、本実施形態のシートベルト装置１によれば、シートベルト４を巻き取るシートベルトリトラクタ３と、シートベルトリトラクタ３から引き出されたシートベルト４に摺動自在に支持されたタング６と、タング６が係脱可能に係合されるバックル１０と、を少
なくとも備えるので、比較的高価であるＬＥＤの使用点数を減少させよりバックル１０を安価に製造することが可能であり、且つ、バックル１０の部品点数を減少させ、容易且つ的確に組み立て製造することができ、結果的にシートベルト装置１を容易且つ的確に組み立て製造することが可能となる。
【産業上の利用可能性】
【００６０】
本発明のバックルおよびシートベルト装置は、乗員が夜間等に、タング挿入口を視認するバックル、およびこのバックルを備えた車両のシートベルト装置に好適に利用することができる。
【符号の説明】
【００６１】
１…シートベルト装置、３…シートベルトリトラクタ、４…シートベルト、６…タング、１０…バックル、１１…支持部材、１２…ケース、１３…ロック部、１４…挿入口、２０…照明部、２１…照明スイッチ、２２…基盤ユニット、２２ａ…ＬＥＤ（発光部）、２３…導光部材、２３ｃ…配光反射面（配光部）
【図１】
0006541182.tif 000002
【図２】
0006541182.tif 000003
【図３】
0006541182.tif 000004
【図４】
0006541182.tif 000005
【図５】
0006541182.tif 000006
【図６】
0006541182.tif 000007
【図７】
0006541182.tif 000008
【図８】
0006541182.tif 000009
【図９】
0006541182.tif 000010
【図１０】
0006541182.tif 000011